(57)【要約】【課題】  嵌合及び嵌合解除を小さな力で迅速容易に行うこと。【解決手段】  フロントパネル２の下面に設けた左右一対の脚部４が、フロントパネル２に一体形成されてボトムシャーシ１の下面まで延びる脚部底板４ａと、該脚部底板４ａの前縁から両側縁にかけて一体形成した脚部縁板４ｂとを有し、前記各脚部底板４ａの後端縁中央から前方に向けて互いに所定間隔をおいて一対のスリット２０を形成することにより該両スリット２０間に切り残した弾性変形可能な舌片２１に係合孔８が形成され、該各係合孔８に対向してボトムシャーシ１に係合凸部９が突設されており、前記フロントパネル２の上端部をボトムシャーシ１の前側上部に架設した横桁上の突起部に係合させ、該突起部を中心にフロントパネル２を下動させて係合孔８を係合凸部９に係合させるようにした。【選択図】        図３
2005294730.tif 000002
【特許請求の範囲】
【請求項１】
内部に電気機器本体を収納したボトムシャーシの前面開口部に配置さ
れる合成樹脂製フロントパネルの下面両側に設けた左右一対の脚部が、フロントパネルに
一体形成されてボトムシャーシの下面まで延びる脚部底板と、該脚部底板の前縁から両側
縁にかけて一体形成した脚部縁板とを有し、前記各脚部とフロントパネルとの間に一体形
成した左右一対の翼板に係合孔が形成され、該各係合孔に対向して前記ボトムシャーシに
係合凸部が突設されており、前記フロントパネルの上端部をボトムシャーシの前側上部に
架設した横桁上の突起部に係合させ、該突起部を中心にフロントパネルを下動させて前記
各脚部及び翼板を弾性変位させて係合孔を係合凸部に係合させるようにしたフロントパネ
ル嵌合装置において、前記各翼板に形成した係合孔に代えて、前記各脚部底板の後端縁中
央から前方に向けて互いに所定間隔をおいて一対のスリットを形成することにより該両ス
リット間に切り残した弾性変形可能な舌片に係合孔が形成され、前記各舌片の後端縁が各
脚部底板の後端縁よりも所定間隔だけ前方に後退されると共に、該各舌片の後端縁の上縁
角部を削って凹溝が形成されていることを特徴とするフロントパネル嵌合装置。
【請求項２】
内部に電気機器本体を収納したボトムシャーシの前面開口部に配置さ
れる合成樹脂製フロントパネルの下面に左右一対の係合孔が形成され、該各係合孔に対向
して前記ボトムシャーシに係合凸部が突設されており、前記フロントパネルの上端部をボ
トムシャーシの前側上部に架設した横桁上の突起部に係合させ、該突起部を中心にフロン
トパネルを下動させて係合孔を係合凸部に係合させるようにしたフロントパネル嵌合装置
において、前記フロントパネルの下面に設けた左右一対の脚部が、フロントパネルに一体
形成されてボトムシャーシの下面まで延びる脚部底板と、該脚部底板の前縁から両側縁に
かけて一体形成した脚部縁板とを有し、前記各脚部底板の後端縁中央から前方に向けて互
いに所定間隔をおいて一対のスリットを形成することにより該両スリット間に切り残した
弾性変形可能な舌片に前記係合孔が形成されていることを特徴とするフロントパネル嵌合
装置。
【請求項３】
前記各舌片の後端縁が各脚部底板の後端縁よりも所定間隔だけ前方に
後退されていることを特徴とする請求項２に記載のフロントパネル嵌合装置。
【請求項４】
前記各舌片の後端縁の上縁角部を削って凹溝が形成されていることを
特徴とする請求項２または３に記載のフロントパネル嵌合装置。
【発明の詳細な説明】
【技術分野】
【０００１】
本発明は、例えばＤＶＤ＋ＲＷのディスクプレーヤなどのフロントパネルをボトムシャ
ーシに容易に嵌脱させるようにしたフロントパネル嵌合装置に関する。
【背景技術】
【０００２】
従来、ディスクプレーヤの一例として図８〜図１２に示すものがある。これは、内部に
ＤＶＤ（図示せず）を収納した金属板製ボトムシャーシ１の前面開口部に合成樹脂製フロ
ントパネル２が配置されると共に、ボトムシャーシ１の上面開口部にトップシャーシ３が
配置されたものであって、フロントパネル２の下面両側に設けた左右一対の脚部４が、フ
ロントパネル２に一体形成されてボトムシャーシ１の下面まで延びる脚部底板４ａと、該
脚部底板４ａの前縁から両側縁にかけて一体形成した略コ字状脚部縁板４ｂと、該脚部縁
板４ｂから枝分かれして脚部底板４ａに一体形成された脚部縦板４ｃ及び脚部横板４ｄと
を有し、該各脚部４の底面にゴム製底板６が貼着され、各脚部４とフロントパネル２との
間のコーナ部に一体形成した左右一対の翼板７に係合孔８が形成され、該各係合孔８に対
向してボトムシャーシ１にプレス加工を施すことにより略三角形状係合凸部９が突設され
ている。
【０００３】
また、フロントパネル２の下面中央に一体突設されてボトムシャーシ１の下面まで延び
る中央部底板１０に係合孔１１が形成され、該係合孔１１に対向してボトムシャーシ１に
プレス加工を施すことにより略三角形状係合凸部１２が突設されている。なお、１３はＤ
ＶＤ用開閉蓋、１４は電源釦、１５は操作釦である。
【０００４】
フロントパネル２の嵌合手順を説明すると、図１１及び図１２に仮想線で示すように、
フロントパネル２の上端部から後方に延びる突起片２ａの連結孔１７をボトムシャーシ１
の前側上部に架設した横桁１ａ上の突起部１８に係合させ、該突起部１８を中心にフロン
トパネル２を下動ａさせることにより、各脚部４及び翼板７と中央部底板１０とを外向き
ｂに弾性変位させ、これによって、図１１及び図１２に実線で示すように、各係合孔８，
１１を各係合凸部９，１２に係合させ、フロントパネル２をボトムシャーシ１の前面開口
部に嵌合させる。
【特許文献１】実用新案登録第３０６４７３３号公報
【発明の開示】
【発明が解決しようとする課題】
【０００５】
上記従来の構成では、各脚部４が比較的大きくて剛体構造であるため、該各脚部４及び
翼板７を外向きｂに弾性変位させて、フロントパネル２をボトムシャーシ１に嵌合させた
り、その嵌合を解除するのに過大な力が必要であって、その嵌合及び嵌合解除に手間と時
間とがかかって面倒である。
【０００６】
本発明は、上記従来の欠点に鑑み、嵌合及び嵌合解除を小さな力で迅速容易に行うこと
ができるようにしたフロントパネル嵌合装置を提供することを目的としている。
【課題を解決するための手段】
【０００７】
上記目的を達成するため、請求項１に記載の発明は、内部に電気機器本体を収納したボ
トムシャーシの前面開口部に配置される合成樹脂製フロントパネルの下面両側に設けた左
右一対の脚部が、フロントパネルに一体形成されてボトムシャーシの下面まで延びる脚部
底板と、該脚部底板の前縁から両側縁にかけて一体形成した脚部縁板とを有し、前記各脚
部とフロントパネルとの間に一体形成した左右一対の翼板に係合孔が形成され、該各係合
孔に対向して前記ボトムシャーシに係合凸部が突設されており、前記フロントパネルの上
端部をボトムシャーシの前側上部に架設した横桁上の突起部に係合させ、該突起部を中心
にフロントパネルを下動させて前記各脚部及び翼板を弾性変位させて係合孔を係合凸部に
係合させるようにしたフロントパネル嵌合装置において、前記各翼板に形成した係合孔に
代えて、前記各脚部底板の後端縁中央から前方に向けて互いに所定間隔をおいて一対のス
リットを形成することにより該両スリット間に切り残した弾性変形可能な舌片に係合孔が
形成され、前記各舌片の後端縁が各脚部底板の後端縁よりも所定間隔だけ前方に後退され
ると共に、該各舌片の後端縁の上縁角部を削って凹溝が形成されていることを特徴として
いる。
【０００８】
請求項２に記載の発明は、内部に電気機器本体を収納したボトムシャーシの前面開口部
に配置される合成樹脂製フロントパネルの下面に左右一対の係合孔が形成され、該各係合
孔に対向して前記ボトムシャーシに係合凸部が突設されており、前記フロントパネルの上
端部をボトムシャーシの前側上部に架設した横桁上の突起部に係合させ、該突起部を中心
にフロントパネルを下動させて係合孔を係合凸部に係合させるようにしたフロントパネル
嵌合装置において、前記フロントパネルの下面に設けた左右一対の脚部が、フロントパネ
ルに一体形成されてボトムシャーシの下面まで延びる脚部底板と、該脚部底板の前縁から
両側縁にかけて一体形成した脚部縁板とを有し、前記各脚部底板の後端縁中央から前方に
向けて互いに所定間隔をおいて一対のスリットを形成することにより該両スリット間に切
り残した弾性変形可能な舌片に前記係合孔が形成されていることを特徴としている。
【０００９】
請求項３に記載の発明は、請求項２に記載の発明において、前記各舌片の後端縁が各脚
部底板の後端縁よりも所定間隔だけ前方に後退されていることを特徴としている。
【００１０】
請求項４に記載の発明は、請求項２または３に記載の発明において、前記各舌片の後端
縁の上縁角部を削って凹溝が形成されていることを特徴としている。
【発明の効果】
【００１１】
請求項１に記載の発明は実施の一形態（図１〜図７参照）に対応するものであって、こ
れによれば、フロントパネルの各舌片を外向きに弾性変位させて該各舌片の係合孔をボト
ムシャーシの各係合凸部に係合させることにより、フロントパネルをボトムシャーシの前
面開口部に嵌合させるようになっており、前記各舌片が、各脚部底板の後端縁中央から前
方に向けて互いに所定間隔をおいて形成した一対のスリット間に切り残されているから、
各脚部を弾性変位させることなく、その各舌片だけを比較的小さな力で弾性変位させて、
フロントパネルの嵌合及び嵌合解除作業を迅速容易に行うことができる。
【００１２】
また、各舌片の後端縁が各脚部底板の後端縁よりも所定間隔だけ前方に後退されており
、該各舌片が各脚部内に格納されているから、例えば組立工程で脚部を機材に不測に衝突
させても、その各舌片を損傷されないように保護することができる。
【００１３】
更に、各舌片の後端縁の上縁角部を削って凹溝が形成されているから、該凹溝にドライ
バなどの工具の先端を差し込むことにより、その各舌片を容易に弾性変位させて係合孔を
係合凸部から簡単に外すことができる。
【００１４】
請求項２に記載の発明は基本形態を示すものであって、これによれば、フロントパネル
の各舌片を外向きに弾性変位させて該各舌片の係合孔をボトムシャーシの各係合凸部に係
合させることにより、フロントパネルをボトムシャーシの前面開口部に嵌合させるように
なっており、前記各舌片が、各脚部底板の後端縁中央から前方に向けて互いに所定間隔を
おいて形成した一対のスリット間に切り残されているから、各脚部を弾性変位させること
なく、その各舌片だけを比較的小さな力で弾性変位させて、フロントパネルの嵌合及び嵌
合解除作業を迅速容易に行うことができる。
【００１５】
請求項３に記載の発明によれば、各舌片の後端縁が各脚部底板の後端縁よりも所定間隔
だけ前方に後退されており、該各舌片が各脚部内に格納されているから、例えば組立工程
で脚部を機材に不測に衝突させても、その各舌片を損傷されないように保護することがで
きる。
【００１６】
請求項４に記載の発明によれば、各舌片の後端縁の上縁角部を削って凹溝が形成されて
いるから、該凹溝にドライバなどの工具の先端を差し込むことにより、その各舌片を容易
に弾性変位させて係合孔を係合凸部から簡単に外すことができる。
【発明を実施するための最良の形態】
【００１７】
図１〜図７は本発明の実施の一形態であるフロントパネル嵌合装置を示すものであって
、各脚部底板４ａの後端縁中央から前方に向けて互いに所定間隔をおいて一対のスリット
２０を形成することにより該両スリット２０間に切り残した弾性変形可能な舌片２１に係
合孔８が形成され、前記各舌片２１の後端縁が各脚部底板４ａの後端縁よりも所定間隔α
だけ前方に後退されると共に、該各舌片２１の後端縁の上縁角部を削って凹溝２２が形成
されている。上記以外の構成は図８〜図１２に示す構成とほぼ同一であるから、同一部分
に同一符号を付してその説明を省略する。
【００１８】
フロントパネル２の嵌合手順を説明すると、図４（及び図１１）に仮想線で示すように
、該フロントパネル２の上端部から後方に延びる突起片２ａの連結孔１７をボトムシャー
シ１の前側上部に架設した横桁１ａ上の突起部１８に係合させ、該突起部１８を中心にフ
ロントパネル２を下動ａさせることにより、各舌片２１と中央部底板１０とを外向きｂに
弾性変位させ、これによって、図４（及び図１１）に実線で示すように、各係合孔８，１
１を各係合凸部９，１２に係合させ、フロントパネル２をボトムシャーシ１の前面開口部
に嵌合させる。
【００１９】
上記構成によれば、フロントパネル２の各舌片２１を外向きｂに弾性変位させて該各舌
片２１の係合孔８をボトムシャーシ１の各係合凸部９に係合させることにより、フロント
パネル２をボトムシャーシ１の前面開口部に嵌合させるようになっており、前記各舌片２
１が、各脚部底板４ａの後端縁中央から前方に向けて互いに所定間隔をおいて形成した一
対のスリット２０間に切り残されているから、各脚部４を弾性変位させることなく、その
各舌片２１だけを比較的小さな力で弾性変位させて、フロントパネル２の嵌合及び嵌合解
除作業を迅速容易に行うことができる。
【００２０】
また、各舌片２１の後端縁が各脚部底板４ａの後端縁よりも所定間隔αだけ前方に後退
されており、該各舌片２１が各脚部４内に格納されているから、例えば組立工程で脚部４
を機材に不測に衝突させても、その各舌片２１を損傷されないように保護することができ
る。
【００２１】
更に、図４に示すように、各舌片２１の後端縁の上縁角部を削って凹溝２２が形成され
ているから、該凹溝２２にドライバなどの工具２３の先端を差し込むことにより、その各
舌片２１を容易に弾性変位させて係合孔８を係合凸部９から外すことができる。
【産業上の利用可能性】
【００２２】
上記の実施の一形態では、ＤＶＤ＋ＲＷのディスクプレーヤを例にあげて説明したが、
これに限定されるわけではなく、例えばＤＶＤ一体型ビデオデッキなどの各種電気機器に
も適用される。
【図面の簡単な説明】
【００２３】
【図１】本発明の実施の一形態を示す正面図である。
【図２】同底面図である。
【図３】同斜視図である。
【図４】図１のＡ−Ａ矢視図である。
【図５】同要部の分解斜視図である。
【図６】図５のＢ−Ｂ矢視図である。
【図７】図５のＣ−Ｃ矢視図である。
【図８】従来例を示す正面図である。
【図９】同底面図である。
【図１０】同斜視図である。
【図１１】図８のＤ−Ｄ矢視図である。
【図１２】図８のＥ−Ｅ矢視図である。
【符号の説明】
【００２４】
１        ボトムシャーシ
１ａ      横桁
２        フロントパネル
４        脚部
４ａ      脚部底板
４ｂ      脚部縁板
７        翼板
８        係合孔
９        係合凸部
１７      連結孔
１８      突起部
２０      スリット
２１      舌片
２２      凹溝
α        舌片の後端縁と脚部底板の後端縁との間の間隔
【図１】
2005294730.tif 000003
【図２】
2005294730.tif 000004
【図３】
2005294730.tif 000005
【図４】
2005294730.tif 000006
【図５】
2005294730.tif 000007
【図６】
2005294730.tif 000008
【図７】
2005294730.tif 000009
【図８】
2005294730.tif 000010
【図９】
2005294730.tif 000011
【図１０】
2005294730.tif 000012
【図１１】
2005294730.tif 000013
【図１２】
2005294730.tif 000014